(57)【要約】【課題】本発明は加熱ロールの回転を制御する方法及び該方法を応用したラミネーターを提供する。【解決手段】ラミネーターが熱圧合作業を行うまで、加熱ロールを反転させてラミネート物の挿入を防止することができる。【選択図】図２Ａ
2009160911.tif 000002
【特許請求の範囲】
【請求項１】
ラミネート物を熱圧合するためのラミネーターであって、前記ラミネーターは、
第一加熱ロールと、
第二加熱ロールを含み、
前記ラミネーターが予熱状態にあるとき、前記第一加熱ロールは第一回転方向に沿って回転し且つ前記第二加熱ロールは第二回転方向に沿って回転し、前記ラミネーターが熱圧合作業を実行すると、前記第一加熱ロールは前記第二回転方向に沿って回転し且つ前記第二加熱ロールは前記第一回転方向に沿って回転し、前記第一回転方向と前記第二回転方向は逆方向であることを特徴とするラミネーター。
【請求項２】
前記第一加熱ロールの温度が作業温度より低いとき、前記ラミネーターは予熱状態にあることを特徴とする請求項1に記載のラミネーター。
【請求項３】
前記第一加熱ロールの温度が作業温度より低くないとき、前記ラミネーターは熱圧合作業を実行することを特徴とする請求項1に記載のラミネーター。
【請求項４】
さらに前記第一加熱ロールの温度を計測する温度センサーを含むことを特徴とする請求項1に記載のラミネーター。
【請求項５】
第一加熱ロールと第二加熱ロールを含むラミネーターに応用される加熱ロールの回転を制御する方法であって、該方法は、
前記第一加熱ロールの温度を計測する方法と、
前記第一加熱ロールの温度が作業温度より低いとき、前記第一加熱ロールを駆動して第一回転方向に沿って回転させ、前記第二加熱ロールを駆動して第二回転方向に沿って回転させる方法であって、前記第一回転方向と前記第二回転方向は逆方向であるものと、
前記第一加熱ロールの温度が前記作業温度より低くないとき、前記第一加熱ロールを駆動して前記第二回転方向に沿って回転させ、前記第二加熱ロールを駆動して前記第一回転方向に沿って回転させる方法とを含むことを特徴とする加熱ロールの回転を制御する方法。
【発明の詳細な説明】
【技術分野】
【０００１】
本発明はラミネーター及び加熱ロール回転制御方法に関し、特に予熱状態にあるときラミネート物が加熱ロールの間に挿入するのを防止することができるラミネーター及びこれに用いられる加熱ロールの回転を制御する方法に関する。
【背景技術】
【０００２】
日常生活でペーパーや写真等の様な保存価値の有る又は破損し易い物が毀損しないように保護フィルムを貼る必要がよくある。散見される方法はラミネーターで物を二枚のフィルムの間に貼り合せて保護効果を達成するものがある。
【０００３】
図１Ａ及び図１Ｂはラミネーターの構造概略図を示しており、図により従来のラミネーターの動作原理を説明する。ラミネーター１は入口チャネル１０、第一加熱ロール１１、第二加熱ロール１２、加熱装置１３及び出口チャネル１４を含む。ユーザーがラミネーター１を始動すると、ラミネーター１はまず予熱プログラムを実行し、加熱装置１３で熱を発生させて第一加熱ロール１１と第二加熱ロール１２へ伝導する。これと同時に、第一加熱ロール１１と第二加熱ロール１２はそれぞれ第二回転方向Ｒ２と第一回転方向Ｒ１に沿って回転（第二回転方向Ｒ２と第一回転方向Ｒ１は逆方向）するので、加熱装置１３が発生する熱エネルギーは一層むらなく第一加熱ロール１１と第二加熱ロール１２に伝導される。ラミネーター１が予熱プログラムを完了すると、ユーザーはラミネート物１５（フィルム１５Ａ、１５Ｂ及び二枚のフィルムの間にある物体１５Ｃを含む）を入口チャネル１０からラミネーター１内に挿入する。第一加熱ロール１１と第二加熱ロール１２によって給送され熱圧合することによって、熱で軟化したフィルム１５Ａ、１５Ｂは一緒に粘着して物体１５Ｃを封着する。最後に、ラミネート物１５は出口チャネル１４へ伝送されてラミネート作業を完了させる。
【０００４】
然しながら、ラミネーター１が予熱状態にあるとき、図１Ｂに示す様にユーザーが随意にフィルム１５Ａ、１５Ｂ及び物体１５Ｃを第一加熱ロール１１と第二加熱ロール１２の間に挿入すると、このとき第一加熱ロール１１と第二加熱ロール１２が丁度第二回転方向Ｒ２と第一回転方向Ｒ１に沿って回転することによって、ラミネート物１５は第一加熱ロール１１と第二加熱ロール１２によって給送される。しかし加熱ロール１１、１２の温度が熱圧合作業を実行できる温度にまだ達していないので、加熱ロール１１、１２を通過するフィルム１５Ａ、１５Ｂが完全に軟化していない状態で張り合わせることができなかったり、或いは白い霧状を生じてペーパーや写真等の物体１５Ｃがぼやけてしまったりするという欠点を惹起するのである。
【０００５】
ユーザーがラミネーターを操作する際、加熱ロールが既に熱圧合作業を実行できる作業温度に達していると誤認して随意にラミネート物を挿入しないように、加熱ロールが作業温度にまだ達していない場合、ラミネート物のラミネート品質を確保するために、ユーザーがラミネート物を挿入するのを防止できる防護機能が早急に求められている。
【発明の開示】
【発明が解決しようとする課題】
【０００６】
本発明の目的は加熱ロールの回転を制御する方法及び該方法を応用したラミネーター提供することにあり、それはラミネーターが予熱状態にあるとき、加熱ロールを反転させることによってユーザーがラミネート物を挿入するのを防止し、これによりフィルムが完全に貼り合わない状況が発生したり、フィルムに白い霧状を生じたりするという欠点を回避することができる。
【課題を解決するための手段】
【０００７】
好ましい実施例において、本発明はラミネート物を熱圧合するためのラミネーターを提供する。ラミネーターは、第一加熱ロールと第二加熱ロールを含み、ラミネーターが予熱状態にあるとき、第一加熱ロールは第一回転方向に沿って回転し、且つ第二加熱ロールは第二回転方向に沿って回転する。ラミネーターが熱圧合作業を実行すると、第一加熱ロールは第二回転方向に沿って回転し、且つ第二加熱ロールは第一回転方向に沿って回転する。第一回転方向と第二回転方向は逆方向である。
【０００８】
好ましい実施例で提供するラミネーターでは、第一加熱ロールの温度が作業温度より低いとき、ラミネーターは予熱状態にある。
【０００９】
好ましい実施例で提供するラミネーターでは、第一加熱ロールの温度が作業温度より低くないとき、ラミネーターは熱圧合作業を実行する。
【００１０】
好ましい実施例で提供するラミネーターは、さらに第一加熱ロールの温度を計測する温度センサーを含む。
【００１１】
別途好ましい実施例では、本発明は第一加熱ロールと第二加熱ロールを含むラミネーターに応用される加熱ロールの回転を制御する方法を提供し、該方法は、第一加熱ロールの温度を計測する方法と、第一加熱ロールの温度が作業温度より低いとき、第一加熱ロールを駆動して第一回転方向に沿って回転させ、第二加熱ロールを駆動して第二回転方向に沿って回転させる方法であって、第一回転方向と第二回転方向は逆方向であるものと、第一加熱ロールの温度が作業温度より低くないとき、第一加熱ロールを駆動して第二回転方向に沿って回転させ、第二加熱ロールを駆動して第一回転方向に沿って回転させる方法とを含む。
【発明を実施するための最良の形態】
【００１２】
上記の従来技術で述べたように、従来のラミネーターの欠点を改善するために、本発明は加熱ロールの回転を制御する方法及び該方法を応用したラミネーターを提供する。
【実施例】
【００１３】
図２Ａと図２Ｂは本発明の実施例で提供するラミネーターの構造概略図を示している。図２Ａと図２Ｂにより本発明が提供するラミネーターの動作原理を説明する。ラミネーター２は入口チャネル２０、第一加熱ロール２１、第二加熱ロール２２、加熱装置２３、出口チャネル２４及び温度センサー２６を含む。ユーザーがラミネーター２を始動しラミネート作業を実行しようとすると、ラミネーター２はまず予熱プログラムを実行し、加熱装置２３で熱を発生させて第一加熱ロール２１と第二加熱ロール２２へ伝導する。これと同時に、第一加熱ロール２１と第二加熱ロール２２は図２Ａに示す様にそれぞれ第一回転方向Ｒ１と第二回転方向Ｒ２に沿って回転（第一回転方向Ｒ１と第二回転方向Ｒ２は逆方向）するので、加熱装置２３が発生する熱エネルギーをむらなく第一加熱ロール２１と第二加熱ロール２２に伝導する一方で、ユーザーがこのときラミネート物２５（フィルム２５Ａ、２５Ｂ及び二枚のフィルムの間にある物体２５Ｃを含む）を第一加熱ロール２１と第二加熱ロール２２の間に挿入すると、第一加熱ロール２１と第二加熱ロール２２のこのときの回転方向は正常に熱圧合プログラムを実行するときの回転方向と丁度反対となるため、第一加熱ロール２１と第二加熱ロール２２はラミネート物２５を給送することなく、逆にラミネート物２５を入口チャネル２０方向へ退出させることができる。
【００１４】
続いて、ラミネーター２内の第一加熱ロール２１と第二加熱ロール２２の温度が作業温度に達すると、第一加熱ロール２１と第二加熱ロール２２は反対方向に回転し、図２Ｂに示すように、それぞれ第二回転方向Ｒ２と第一回転方向Ｒ１に沿って回転する。このときユーザーがラミネート物２５（フィルム２５Ａ、２５Ｂ及び二枚のフィルムの間にある物体２５Ｃを含む）を入口チャネル２０からラミネーター２内に挿入するだけで、第一加熱ロール２１と第二加熱ロール２２はラミネート物２５を給送すると共に、熱圧合作業を実行して、熱で軟化したフィルム２５Ａ、２５Ｂは一緒に粘着して物体２５Ｃをその中に封着する。最後に、ラミネート物２５は出口チャネル２４へ伝送されてラミネート作業を完了させる。
【００１５】
図２Ａと図２Ｂで示す本発明が提供するラミネーター２が第一加熱ロール２１又は第二加熱ロール２２が作業温度に達したか否かを判断する方法は、第一加熱ロール２１又は第二加熱ロール２２の傍に温度センサー２６を設置し、第一加熱ロール２１又は第二加熱ロール２２の温度を計測するものである。ラミネーター２が始動し、第一加熱ロール２１又は第二加熱ロール２２の温度が予め設定した作業温度若しくはユーザーが自ら設定した作業温度より低い場合、ラミネーター２本体はまだ予熱状態にあって熱圧合作業を実行することができない。このため、第一加熱ロール２１又は第二加熱ロール２２は図２Ａで示すように駆動してそれぞれ第一回転方向Ｒ１と第二回転方向Ｒ２に沿って回転し、こうしてラミネート物２５が第一加熱ロール２１又は第二加熱ロール２２の間に挿入されるのを防止することができる。第一加熱ロール２１又は第二加熱ロール２２の温度が予め設定した作業温度若しくはユーザーが自ら設定した作業温度より低くない（高い若しくは同じ）場合、このときのラミネーター２は既に熱圧合作業を実行することができることを表しており、このとき、第一加熱ロール２１と第二加熱ロール２２が駆動して逆方向に回転し、それぞれ図２Ｂで示すように、第二回転方向Ｒ２と第一回転方向Ｒ１に沿って回転してラミネート物２５を給送して熱圧合作業を実行する。
【００１６】
図２Ａと図２Ｂで示す上記の説明により、本発明が提供するラミネーター内の加熱ロールの回転を制御する方法は、第一加熱ロール２１（又は第二加熱ロール２２）の温度を計測し、第一加熱ロール２１（又は第二加熱ロール２２）の温度が作業温度より低いとき、第一加熱ロール２１を駆動して第一回転方向Ｒ１に沿って回転させ、第二加熱ロール２２を駆動して第二回転方向Ｒ２に沿って回転させ（第一回転方向と第二回転方向は逆方向である）、これにより、ラミネート物２５が第一加熱ロール２１又は第二加熱ロール２２の間に挿入されるのを防止する方法と、第一加熱ロール２１（又は第二加熱ロール２２）の温度が作業温度より低くないとき、第一加熱ロール２１を駆動して第二回転方向Ｒ２に沿って回転させ、第二加熱ロール２２を駆動して第一回転方向Ｒ１に沿って回転させて、こうして熱圧合作業を実行することができる方法とを含むことがわかる。
【００１７】
本発明が提供するラミネーター２は本技術分野で散見されるモーターやギア等の様な駆動装置で第一加熱ロール２１と第二加熱ロール２２を双方向で駆動するので、その発明の属する技術の分野における通常の知識を有する者が明細書で開示した内容に基づいて本発明を具体的に実施することができる。
【００１８】
上記内容は本発明の好ましい実施例に過ぎず、本発明の特許請求の範囲を限定するものではない。従って、その他本発明で開示した精神を逸脱しない範囲において完成した等価変更若しくは修飾は、全て本案における特許請求の範囲内に含まれるものとする。
【図面の簡単な説明】
【００１９】
【図１Ａ】従来のラミネーターを示した構造図である。
【図１Ｂ】従来のラミネーターが予熱状態にあるときラミネート物を給送する状況を示した概略図である。
【図２Ａ】本発明の実施例で提供するラミネーターが予熱状態にあるとき、ラミネート物が加熱ロールの間に進入できないこと示した概略図である。
【図２Ｂ】本発明の実施例で提供するラミネーターが熱圧合作業を行う際の概略図である。
【符号の説明】
【００２０】
１、２  ラミネーター
１０、２０  入口チャネル
１１、２１  加熱ロール
１２、２２  加熱ロール
１３、２３  加熱装置
１４、２４  出口チャネル
１５、２５  ラミネート物
１５Ａ、２５Ａ  フィルム
１５Ｂ、２５Ｂ  フィルム
１５Ｃ、２５Ｃ  物体
２６  温度センサー
Ｒ１  第一回転方向
Ｒ２  第二回転方向
【図１Ａ】
2009160911.tif 000003
【図１Ｂ】
2009160911.tif 000004
【図２Ａ】
2009160911.tif 000005
【図２Ｂ】
2009160911.tif 000006